【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
ファスナー装置（１）であって、
閉方向（Ｘ）に沿って互いに取り付けられることが可能で、閉位置にて互いに保持されて、かつ、当該ファスナー装置（１）を開くように互いに切離し可能である、第１のファスナー部位（２）及び第２のファスナー部位（３）、
を備え、前記第１のファスナー部位（２）及び前記第２のファスナー部位（３）はそれぞれ、当該ファスナー部位（２，３）同士の取付時に磁気吸引力を与える少なくとも１つの磁石エレメント（２３，３３）を含むファスナー装置（１）において、
前記第２のファスナー部位（３）は、引張エレメント（４）が配されることが可能な巻回しエレメント（３５）を含み、当該巻回しエレメント（３５）は、前記引張エレメント（４）を当該巻回しエレメント（３５）に巻取方向（Ｖ）で巻き付けるように、前記第１のファスナー部位（２）に対して回転可能であることを特徴とする、ファスナー装置（１）。
【請求項２】
請求項１に記載のファスナー装置（１）において、前記巻回しエレメント（３５）が、前記第１のファスナー部位（２）に対して前記閉方向（Ｘ）周りに回転可能であることを特徴とする、ファスナー装置（１）。
【請求項３】
請求項１または２に記載のファスナー装置（１）において、前記巻回しエレメント（３５）が、前記閉位置にて、前記第１のファスナー部位（２）に対して回転可能であることを特徴とする、ファスナー装置（１）。
【請求項４】
請求項１から３のいずれか一項に記載のファスナー装置（１）において、前記巻回しエレメント（３５）が、前記閉位置にて、前記巻取方向（Ｖ）へは前記第１のファスナー部位（２）に対して回転可能である一方で前記巻取方向（Ｖ）の反対方向へは前記第１のファスナー部位（２）に対して回転可能でないことを特徴とする、ファスナー装置（１）。
【請求項５】
請求項１または２に記載のファスナー装置（１）において、前記巻回しエレメント（３５）が、前記閉位置にて、前記第１のファスナー部位（２）に対して回転可能でないことを特徴とする、ファスナー装置（１）。
【請求項６】
請求項１から５のいずれか一項に記載のファスナー装置（１）において、前記巻回しエレメント（３５）が歯部手段（３５１）を有しており、当該歯部手段（３５１）は、前記閉位置にて、前記第１のファスナー部位（２）の歯部手段（２５）と係合することを特徴とする、ファスナー装置（１）。
【請求項７】
請求項１から６のいずれか一項に記載のファスナー装置（１）において、前記第１のファスナー部位（２）及び前記第２のファスナー部位（３）が、前記閉位置にて、当該ファスナー部位（２，３）同士を前記閉方向（Ｘ）に抗して互いに保持するように互いに機械的に拘束されていることを特徴とする、ファスナー装置（１）。
【請求項８】
請求項７に記載のファスナー装置（１）において、一方の前記ファスナー部位（２，３）が、少なくとも１つの可動なデテントエレメント（３７１）を有するデテント手段（３７）を含み、当該少なくとも１つの可動なデテントエレメント（３７１）は、拘束位置にて、他方のファスナー部位（３，２）のデテント凹部（２０３）に係合することにより前記ファスナー部位（２，３）同士を前記閉方向（Ｘ）に抗して互いに保持することを特徴とする、ファスナー装置（１）。
【請求項９】
請求項１から８のいずれか一項に記載のファスナー装置（１）において、一方の前記ファスナー部位（２，３）が円筒カラー（２０１）を有しており、当該円筒カラー（２０１）は、前記ファスナー部位（２，３）同士の回転可能な取付けのために他方のファスナー部位（３，２）内に係合することを特徴とする、ファスナー装置（１）。
【請求項１０】
請求項１から９のいずれか一項に記載のファスナー装置（１）において、前記第２のファスナー部位（３）が、前記閉位置にて前記第１のファスナー部位（２）に配置されるハウジングエレメント（３０）を含み、当該ハウジングエレメント（３０）に、前記巻回しエレメント（３５）が回転可能に取り付けられていることを特徴とする、ファスナー装置（１）。
【請求項１１】
請求項１０に記載のファスナー装置（１）において、前記第２のファスナー部位（３）が、ロックアセンブリを含み、当該ロックアセンブリは、ロック状態では前記巻回しエレメント（３５）を、当該巻回しエレメント（３５）が前記巻取方向（Ｖ）へは前記ハウジングエレメント（３０）に対して回転可能である一方で前記巻取方向（Ｖ）の反対方向へは前記ハウジングエレメント（３０）に対して回転可能でないようにロックすることを特徴とする、ファスナー装置（１）。
【請求項１２】
請求項１０または１１に記載のファスナー装置（１）において、前記第１のファスナー部位（２）が少なくとも１つの第１のアンダーカットエレメント（２１，２２）を含み、前記第２のファスナー部位（３）の前記ハウジングエレメント（３０）が少なくとも１つの第２のアンダーカットエレメント（３１，３２）を有しており、前記少なくとも１つの第１のアンダーカットエレメント（２１，２２）と前記少なくとも１つの第２のアンダーカットエレメント（３１，３２）とは、前記ファスナー部位（２，３）の取付時に、当該ファスナー部位（２，３）同士が前記閉位置にて前記閉方向（Ｘ）に抗して互いに保持されるように互いに係合することを特徴とする、ファスナー装置（１）。
【請求項１３】
請求項１２に記載のファスナー装置（１）において、少なくとも２つの第１のアンダーカットエレメント（２１，２２）が、前記第１のファスナー部位（２）の本体部（２０）において前記閉方向（Ｘ）を横切る方向に互いにオフセットして配置されており、および／または、少なくとも２つの第２のアンダーカットエレメント（３１，３２）が、前記第２のファスナー部位（３）の前記ハウジングエレメント（３０）において前記閉方向（Ｘ）を横切る方向に互いにオフセットして配置されていることを特徴とする、ファスナー装置（１）。
【請求項１４】
請求項１２または１３に記載のファスナー装置（１）において、前記少なくとも１つの第１のアンダーカットエレメント（２１，２２）および／または前記少なくとも１つの第２のアンダーカットエレメント（３１，３２）が、前記閉方向（Ｘ）を横切る平面視で円弧状又はＶ字状であることを特徴とする、ファスナー装置（１）。
【請求項１５】
請求項１２から１４のいずれか一項に記載のファスナー装置（１）において、一方の前記ファスナー部位（２，３）が、前記ファスナー部位（２，３）の前記閉位置にて前記少なくとも１つの第１のアンダーカットエレメント（２１；２２）と前記少なくとも１つの第２のアンダーカットエレメント（３１，３２）との係合を保護するブロッキングエレメント（２４）を含むことを特徴とする、ファスナー装置（１）。
【手続補正２】
【補正対象書類名】明細書
【補正対象項目名】０１３７
【補正方法】変更
【補正の内容】
【０１３７】
基本的に、前記ファスナー装置は、根本的に異なる磁気−機械式デテントファスナーを実現するものとされてもよい。例えば、前記ファスナー装置は、磁気−機械式デテント機能が、国際公開第2008/006357号、国際公開第2008/006354号、国際公開第2009/092368号、国際公開第2010/006594号、国際公開第2008/006356号、国際公開第2009/010049号、国際公開第2009/127196号、国際公開第2014/090926号、国際出願  PCT/EP2013/060762号等に記載の設計とされてもよい。
以下、本発明に含まれる態様を記す。
〔態様１〕ファスナー装置（１）であって、
閉方向（Ｘ）に沿って互いに取り付けられることが可能で、閉位置にて互いに保持されて、かつ、当該ファスナー装置（１）を開くように互いに切離し可能である、第１のファスナー部位（２）及び第２のファスナー部位（３）、
を備える、ファスナー装置（１）において、
前記第２のファスナー部位（３）は、引張エレメント（４）が配されることが可能な巻回しエレメント（３５）を含み、当該巻回しエレメント（３５）は、前記引張エレメント（４）を当該巻回しエレメント（３５）に巻取方向（Ｖ）で巻き付けるように、前記第１のファスナー部位（２）に対して回転可能であることを特徴とする、ファスナー装置（１）。
〔態様２〕態様１に記載のファスナー装置（１）において、前記巻回しエレメント（３５）が、前記第１のファスナー部位（２）に対して前記閉方向（Ｘ）周りに回転可能であることを特徴とする、ファスナー装置（１）。
〔態様３〕態様１または２に記載のファスナー装置（１）において、前記巻回しエレメント（３５）が、前記閉位置にて、前記第１のファスナー部位（２）に対して回転可能であることを特徴とする、ファスナー装置（１）。
〔態様４〕態様１から３のいずれか一態様に記載のファスナー装置（１）において、前記巻回しエレメント（３５）が、前記閉位置にて、前記巻取方向（Ｖ）へは前記第１のファスナー部位（２）に対して回転可能である一方で前記巻取方向（Ｖ）の反対方向へは前記第１のファスナー部位（２）に対して回転可能でないことを特徴とする、ファスナー装置（１）。
〔態様５〕態様１または２に記載のファスナー装置（１）において、前記巻回しエレメント（３５）が、前記閉位置にて、前記第１のファスナー部位（２）に対して回転可能でないことを特徴とする、ファスナー装置（１）。
〔態様６〕態様１から５のいずれか一態様に記載のファスナー装置（１）において、前記巻回しエレメント（３５）が歯部手段（３５１）を有しており、当該歯部手段（３５１）は、前記閉位置にて、前記第１のファスナー部位（２）の歯部手段（２５）と係合することを特徴とする、ファスナー装置（１）。
〔態様７〕態様６に記載のファスナー装置（１）において、前記巻回しエレメント（３５）の前記歯部手段（３５１）が、前記閉位置にて、前記巻取方向（Ｖ）へは前記第１のファスナー部位（２）の前記歯部手段（２５）に対して動くことが可能である一方で、前記巻取方向（Ｖ）の反対方向への動きについてはロックされていることを特徴とする、ファスナー装置（１）。
〔態様８〕態様６または７に記載のファスナー装置（１）において、少なくとも一つの前記歯部手段（３５１）が、前記巻取方向（Ｖ）への前記巻回しエレメント（３５）の回転時に前記巻取方向（Ｖ）を横切るようにして脇へと追いやられることが可能な、少なくとも１つの歯部エレメント（２５０）を有していることを特徴とする、ファスナー装置（１）。
〔態様９〕態様１から８のいずれか一態様に記載のファスナー装置（１）において、前記第１のファスナー部位（２）及び前記第２のファスナー部位（３）が、前記閉位置にて、当該ファスナー部位（２，３）同士を前記閉方向（Ｘ）に抗して互いに保持するように互いに機械的に拘束されていることを特徴とする、ファスナー装置（１）。
〔態様１０〕態様９に記載のファスナー装置（１）において、一方の前記ファスナー部位（２，３）が、少なくとも１つの可動なデテントエレメント（３７１）を有するデテント手段（３７）を含み、当該少なくとも１つの可動なデテントエレメント（３７１）は、拘束位置にて、他方のファスナー部位（３，２）のデテント凹部（２０３）に係合することにより前記ファスナー部位（２，３）同士を前記閉方向（Ｘ）に抗して互いに保持することを特徴とする、ファスナー装置（１）。
〔態様１１〕態様１０に記載のファスナー装置（１）において、前記デテント手段（３７）が、前記ファスナー部位（２，３）の取付時に前記拘束位置へと自動的に移行することを特徴とする、ファスナー装置（１）。
〔態様１２〕態様１０または１１に記載のファスナー装置（１）において、調節可能な前記少なくとも１つのデテントエレメント（３７１）が、前記拘束位置の方向へとばね予圧されていることを特徴とする、ファスナー装置（１）。
〔態様１３〕態様１０から１２のいずれか一態様に記載のファスナー装置（１）において、前記デテント手段（３７）が、前記少なくとも１つのデテントエレメント（３７１）を前記デテント凹部（２０３）から脱係合させるように作動されることが可能である操作エレメント（３７５）を有していることを特徴とする、ファスナー装置（１）。
〔態様１４〕態様１３に記載のファスナー装置（１）において、前記操作エレメント（３７５）が、乗上げ体（３７６）を有しており、当該乗上げ体（３７６）は、前記操作エレメント（３７５）が作動されると、前記少なくとも１つのデテントエレメント（３７１）を前記拘束位置の方向へと予圧する予圧エレメント（３７３）における乗上げ体（３７２）に乗上げることによって前記少なくとも１つのデテントエレメント（３７１）を調節するように構成されていることを特徴とする、ファスナー装置（１）。
〔態様１５〕態様１から１４のいずれか一態様に記載のファスナー装置（１）において、一方の前記ファスナー部位（２，３）が円筒カラー（２０１）を有しており、当該円筒カラー（２０１）は、前記ファスナー部位（２，３）同士の回転可能な取付けのために他方のファスナー部位（３，２）内に係合することを特徴とする、ファスナー装置（１）。
〔態様１６〕態様１から１５のいずれか一態様に記載のファスナー装置（１）において、前記第２のファスナー部位（３）が、前記閉位置にて前記第１のファスナー部位（２）に配置されるハウジングエレメント（３０）を含み、当該ハウジングエレメント（３０）に、前記巻回しエレメント（３５）が回転可能に取り付けられていることを特徴とする、ファスナー装置（１）。
〔態様１７〕態様１６に記載のファスナー装置（１）において、前記第２のファスナー部位（３）が、ロックアセンブリを含み、当該ロックアセンブリは、ロック状態では前記巻回しエレメント（３５）を、当該巻回しエレメント（３５）が前記巻取方向（Ｖ）へは前記ハウジングエレメント（３０）に対して回転可能である一方で前記巻取方向（Ｖ）の反対方向へは前記ハウジングエレメント（３０）に対して回転可能でないようにロックすることを特徴とする、ファスナー装置（１）。
〔態様１８〕態様１７に記載のファスナー装置（１）において、前記ロックアセンブリは、前記巻回しエレメント（３５）が前記巻取方向（Ｖ）の反対方向へと前記ハウジングエレメント（３０）に対して回転可能となるように、前記ロック状態からロック解除されることが可能であることを特徴とする、ファスナー装置（１）。
〔態様１９〕態様１７または１８に記載のファスナー装置（１）において、前記ロックアセンブリが、当該ファスナー装置（１）の開動作時に自動的にロック解除されることを特徴とする、ファスナー装置（１）。
〔態様２０〕態様１７から１９のいずれか一態様に記載のファスナー装置（１）において、前記ロックアセンブリが、前記ハウジングエレメント（３０）上に回転可能に配置された作動エレメント（３４）を含むことを特徴とする、ファスナー装置（１）。
〔態様２１〕態様２０に記載のファスナー装置（１）において、前記ハウジングエレメント（３０）と前記作動エレメント（３４）とは、当該作動エレメント（３４）が前記巻取方向（Ｖ）へは当該ハウジングエレメント（３０）に対して回転可能である一方で、前記巻取方向（Ｖ）の反対方向へは当該ハウジングエレメント（３０）に対して回転可能でないように、フリーホイール手段によって動作可能に連結されていることを特徴とする、ファスナー装置（１）。
〔態様２２〕態様２１に記載のファスナー装置（１）において、前記フリーホイール手段が、ハウジングエレメント（３０）及び作動エレメント（３４）のうちの一方における歯部（３０２）と、ハウジングエレメント（３０）及び作動エレメント（３４）のうちの他方における少なくとも１つの調節可能なロックエレメント（３４３）とにより形成されていることを特徴とする、ファスナー装置（１）。
〔態様２３〕態様２０から２２のいずれか一態様に記載のファスナー装置（１）において、前記作動エレメント（３４）が第１の歯部手段（３４１）を有しており、前記巻回しエレメント（３５）が第２の歯部手段（３５１）を有していることを特徴とする、ファスナー装置（１）。
〔態様２４〕態様２３に記載のファスナー装置（１）において、前記作動エレメント（３４）が、前記第１の歯部手段（３４１）と前記第２の歯部手段（３５１）とを係合又は脱係合させるように前記ハウジングエレメント（３０）に対して軸方向に調節可能であることを特徴とする、ファスナー装置（１）。
〔態様２５〕  態様１６から２４のいずれか一態様に記載のファスナー装置（１）において、前記第１のファスナー部位（２）が少なくとも１つの第１のアンダーカットエレメント（２１，２２）を含み、前記第２のファスナー部位（３）の前記ハウジングエレメント（３０）が少なくとも１つの第２のアンダーカットエレメント（３１，３２）を有しており、前記少なくとも１つの第１のアンダーカットエレメント（２１，２２）と前記少なくとも１つの第２のアンダーカットエレメント（３１，３２）とは、前記ファスナー部位（２，３）の取付時に、当該ファスナー部位（２，３）同士が前記閉位置にて前記閉方向（Ｘ）に抗して互いに保持されるように互いに係合することを特徴とする、ファスナー装置（１）。
〔態様２６〕態様２５に記載のファスナー装置（１）において、少なくとも２つの第１のアンダーカットエレメント（２１，２２）が、前記第１のファスナー部位（２）の本体部（２０）において前記閉方向（Ｘ）を横切る方向に互いにオフセットして配置されており、および／または、少なくとも２つの第２のアンダーカットエレメント（３１，３２）が、前記第２のファスナー部位（３）の前記ハウジングエレメント（３０）において前記閉方向（Ｘ）を横切る方向に互いにオフセットして配置されていることを特徴とする、ファスナー装置（１）。
〔態様２７〕態様２５または２６に記載のファスナー装置（１）において、前記少なくとも１つの第１のアンダーカットエレメント（２１，２２）および／または前記少なくとも１つの第２のアンダーカットエレメント（３１，３２）が、前記閉方向（Ｘ）を横切る平面視で円弧状又はＶ字状であることを特徴とする、ファスナー装置（１）。
〔態様２８〕態様２５から２７のいずれか一態様に記載のファスナー装置（１）において、一方の前記ファスナー部位（２，３）が、前記ファスナー部位（２，３）の前記閉位置にて前記少なくとも１つの第１のアンダーカットエレメント（２１；２２）と前記少なくとも１つの第２のアンダーカットエレメント（３１，３２）との係合を保護するブロッキングエレメント（２４）を含むことを特徴とする、ファスナー装置（１）。
〔態様２９〕態様２８に記載のファスナー装置（１）において、前記ブロッキングエレメント（２４）は、前記ファスナー部位（２，３）の前記閉位置での前記少なくとも１つの第１のアンダーカットエレメント（２１，２２）と前記少なくとも１つの第２のアンダーカットエレメント（３１，３２）との係合を保護するブロッキング位置にて、当該少なくとも１つの第１のアンダーカットエレメント（２１，２２）と当該少なくとも１つの第２のアンダーカットエレメント（３１，３２）とが係合状態で保持されるように、他方のファスナー部位（２，３）の部品に面していることを特徴とする、ファスナー装置（１）。
〔態様３０〕態様２９に記載のファスナー装置（１）において、前記ブロッキングエレメント（２４）が、前記ブロッキング位置の方向へとばね予圧されていることを特徴とする、ファスナー装置（１）。
〔態様３１〕態様２９または３０に記載のファスナー装置（１）において、前記ブロッキングエレメント（２４）が、当該ファスナー装置（１）の開動作のために前記ブロッキング位置外へと調節可能であることを特徴とする、ファスナー装置（１）。
〔態様３２〕態様２９から３１のいずれか一態様に記載のファスナー装置（１）において、前記他方のファスナー部位（２，３）の前記部品が、前記ブロッキングエレメント（２４）のブロッキング作用を解消するように調節可能であることを特徴とする、ファスナー装置（１）。
〔態様３３〕態様１から３２のいずれか一態様に記載のファスナー装置（１）において、前記第１のファスナー部位（２）及び前記第２のファスナー部位（３）はそれぞれ、当該ファスナー部位（２，３）同士の取付時に磁気吸引力を与える少なくとも１つの磁石エレメント（２３，３３）を含むことを特徴とする、ファスナー装置（１）。